(57)【特許請求の範囲】
【請求項１】
窓枠にスライド開閉自在に支持される少なくとも１枚の障子を備えた建具であって、
前記障子は、上框、下框および左右の縦框と、これらの各框に支持される面材とを有して構成され、前記左右の縦框の一方で構成される第１召合せ部が、前記窓枠または他の障子に設けられる第２召合せ部と見込み方向に重なって閉鎖され、
前記第１召合せ部および第２召合せ部のいずれか一方の召合せ部には、当該召合せ部の長手方向に沿って互いに平行な一対の縦気密材が他方の召合せ部に当接可能に設けられ、
前記障子の閉鎖状態において、前記第１召合せ部の第１対向面部と前記第２召合せ部の第２対向面部とが互いに対向して位置するとともに、これら第１および第２の対向面部間には、前記一対の縦気密材で区画される召合せ空間が形成され、
前記第１および第２の対向面部のうち、少なくともいずれか一方の対向面部には、前記召合せ空間に外気を導入する外気導入孔が設けられ、この外気導入孔が前記召合せ部の中空内部を介して室外空間に連通されている建具。
【請求項２】
前記第１召合せ部は、全体長尺状かつ中空状に形成されるとともに、この中空内部を左右に仕切る仕切り壁と、この仕切り壁で仕切られた第１中空部および第２中空部とを有し、前記仕切り壁には、前記第１中空部と第２中空部とを連通させる連通孔が形成され、
前記外気導入孔は、前記第１召合せ部の第１対向面部における前記第２中空部と前記召合せ空間とを連通させる位置に設けられ、当該第１召合せ部における長手方向端部の開口を介して前記第２中空部が室外空間に連通されている請求項１に記載の建具。
【請求項３】
前記第１召合せ部は、全体長尺状かつ中空状に形成され、この第１召合せ部の中空部と、前記上框、下框および戸先側の縦框のうち少なくとも上框または下框の内部とが連通されており、
前記外気導入孔は、前記第１召合せ部の第１対向面部における前記中空部と前記召合せ空間とを連通させる位置に設けられ、当該第１召合せ部の中空部が前記上框、下框および戸先側の縦框のいずれかに設けた開口を介して室外空間に連通されている請求項１に記載の建具。
【請求項４】
前記外気導入孔は、前記第１召合せ部の第１対向面部において、前記上框の下端縁よりも低く、かつ前記下框の上端縁よりも高い位置に設けられている請求項１から請求項３のいずれかに記載の建具。
【請求項５】
前記外気導入孔には、カバー部材が取り付けられ、このカバー部材には、前記召合せ空間に向かって開口した第１開口と、前記召合せ部の内部側において見付け方向に向かって開口した第２開口と、を有した通気経路が形成されている請求項１から請求項４のいずれかに記載の建具。
【請求項６】
前記カバー部材は、前記第１開口よりも見込み方向室外側に位置して前記通気経路を形成する底面部を有して形成されている請求項５に記載の建具。
【請求項７】
前記窓枠は、上枠、下枠および左右の縦枠を四周枠組みして構成され、
前記障子の上框および前記上枠のいずれか一方には、他方に摺接可能な一対の上部横気密材が設けられ、
前記障子の下框および前記下枠のいずれか一方には、他方に摺接可能な一対の下部横気密材が設けられ、
前記障子の戸先側の縦框および前記縦枠のいずれか一方には、当該障子を閉じた際に他方に当接可能な一対の戸先側縦気密材が設けられ、
前記上部横気密材、下部横気密材および戸先側縦気密材と、前記召合せ部の縦気密材と
が連続して気密ラインが形成されている請求項１から請求項６のいずれかに記載の建具。
【発明の詳細な説明】
【技術分野】
【０００１】
本発明は、建具に関し、詳しくは、窓枠にスライド開閉自在に支持される少なくとも１枚の障子を備えた建具に関する。
【背景技術】
【０００２】
従来、引き違い窓や片引き窓等の建具における召合せ部の気密、水密構造として、内召合せ框に取り付けた気密材を外召合せ框に当接させ、これら内外の召合せ框同士の対向面間からの外気や雨水の浸入を阻止する構造が知られている（例えば、特許文献１参照）。
特許文献１に記載された従来の気密、水密構造は、気密材よりも屋外側に形成した内外の召合せ框の係合片（煙返し）同士を係合させることで、この係合によって１次止水ラインを構成し、その室内側の気密材によって２次止水（気密）ラインを構成し、これらの二重のタイトラインを形成することにより気密性能や水密性能を確保しようとする構造である。さらに、内外の召合せ框の対向面と係合片および気密材とで囲まれた空間を屋外空間と連通させ、この空間を等圧空間とするために、下枠や上枠に設けた風止め板に孔（透孔）を形成し、この孔から等圧空間に外気を導入するようになっている。
【０００３】
【特許文献１】特許第３６１５４２１号公報
【発明の開示】
【発明が解決しようとする課題】
【０００４】
しかしながら、従来の気密、水密構造では、風止め板に設けた孔を介して等圧空間に屋外の音が入ると、この音が気密材を介して室内空間に伝達しやすくなっており、遮音性が低下してしまうという問題がある。
【０００５】
本発明の目的は、十分な気密、水密性能を確保しつつ遮音性能を向上させることができる建具を提供することにある。
【課題を解決するための手段】
【０００６】
本発明の建具は、窓枠にスライド開閉自在に支持される少なくとも１枚の障子を備えた建具であって、前記障子は、上框、下框および左右の縦框と、これらの各框に支持される面材とを有して構成され、前記左右の縦框の一方で構成される第１召合せ部が、前記窓枠または他の障子に設けられる第２召合せ部と見込み方向に重なって閉鎖され、前記第１召合せ部および第２召合せ部のいずれか一方の召合せ部には、当該召合せ部の長手方向に沿って互いに平行な一対の縦気密材が他方の召合せ部に当接可能に設けられ、前記障子の閉鎖状態において、前記第１召合せ部の第１対向面部と前記第２召合せ部の第２対向面部とが互いに対向して位置するとともに、これら第１および第２の対向面部間には、前記一対の縦気密材で区画される召合せ空間が形成され、前記第１および第２の対向面部のうち、少なくともいずれか一方の対向面部には、前記召合せ空間に外気を導入する外気導入孔が設けられ、この外気導入孔が前記召合せ部の中空内部を介して室外空間に連通されていることを特徴とする。
【０００７】
ここで、本発明の建具としては、片引き窓でもよく、引き違い窓でもよく、さらには二枚建てや四枚建ての引き分け窓などでもよい。すなわち、本発明の建具は、スライド開閉自在な障子同士が重なって閉じる形式のものや、障子と窓枠の一部とが重なって閉じる形式のものなど、召合せ部を有した窓であればよい。そして、建具が片引き窓の場合には、固定障子や固定パネル、袖壁などの室内側または室外側に沿って可動障子がスライド開閉可能に設けられ、可動障子の縦框（召合せ框）で第１召合せ部が構成され、固定障子の縦框（召合せ框）や縦骨、固定パネルの端縁、袖壁の端縁などで第２召合せ部が構成されていればよい。また、建具が引き違い窓の場合には、一般的な二枚建ての引き違い窓でもよく、また三枚建てや四枚建ての引き違い窓であってもよく、これら複数の可動障子のうちの任意の一対の障子における召合せ部（召合せ框）同士が重なって閉じるように構成されていればよい。
【０００８】
このような本発明によれば、第１召合せ部の第１対向面部と第２召合せ部の第２対向面部との間において、一対の縦気密材で区画した召合せ空間を形成したことで、室外側からの外気および雨水の浸入を二重に阻止することができ、気密性能および水密性能を向上させることができる。そして、第１対向面部および第２の対向面部の少なくとも一方に設けた外気導入孔から召合せ空間に外気を導入することで、この召合せ空間を室外空間と等圧な等圧空間とすることができ、圧力差による雨水の浸入を確実に防止することができる。さらに、外気導入孔が召合せ部の内部を介して室外空間に連通されていることで、室外からの音が召合せ部の内部を通る際に減衰され、外気導入孔から召合せ空間に到達する音量（音圧）を小さくすることができる。従って、召合せ空間からさらに縦気密材を通り抜けて室内まで到達する音のレベルを下げることができるので、遮音性能を向上させることができる。
【０００９】
この際、本発明の建具では、前記第１召合せ部は、全体長尺状かつ中空状に形成されるとともに、この中空内部を左右に仕切る仕切り壁と、この仕切り壁で仕切られた第１中空部および第２中空部とを有し、前記仕切り壁には、前記第１中空部と第２中空部とを連通させる連通孔が形成され、前記外気導入孔は、前記第１召合せ部の第１対向面部における前記第２中空部と前記召合せ空間とを連通させる位置に設けられ、当該第１召合せ部における長手方向端部の開口を介して前記第２中空部が室外空間に連通されていることが好ましい。
このような構成によれば、第１召合せ部の中空内部を仕切り壁で第１中空部と第２中空部とに仕切り、第２中空部と召合せ空間とを外気導入孔で連通させ、第１中空部と室外空間とを連通させるとともに、仕切り壁に連通孔を設けたことで、第１召合せ部の端部から第１中空部、連通孔、第２中空部、外気導入孔を介して召合せ空間まで至る外気導入経路が形成される。従って、室外から入ってくる音は、先ず第１召合せ部の端部における第１中空部の開口位置で減衰され、次に仕切り壁の連通孔を通過する際に減衰され、さらに第２中空部から外気導入孔を通過する際に減衰されることとなる。このような外気導入経路を形成して複数（少なくとも３回）の音の減衰を生じさせることで、召合せ空間に到達する音のレベルを十分に低下させることができ、さらに室内側への音の伝達を低減させて遮音性能を向上させることができる。
【００１０】
また、本発明の建具では、前記第１召合せ部は、全体長尺状かつ中空状に形成され、この第１召合せ部の中空部と、前記上框、下框および戸先側の縦框のうち少なくとも上框または下框の内部とが連通されており、前記外気導入孔は、前記第１召合せ部の第１対向面部における前記中空部と前記召合せ空間とを連通させる位置に設けられ、当該第１召合せ部の中空部が前記上框、下框および戸先側の縦框のいずれかに設けた開口を介して室外空間に連通されていてもよい。
このような構成によれば、第１召合せ部の中空部と召合せ空間とを外気導入孔で連通させ、第１召合せ部の中空部と上框や下框の内部あるいは戸先側の縦框の内部までを連通させるとともに、上框や下框あるいは戸先側の縦框を室外空間に開口させたことで、上框や下框あるいは戸先側の縦框の開口から、上框や下框の内部、第１召合せ部の中空部、外気導入孔を介して召合せ空間まで至る外気導入経路が形成される。従って、室外から入ってくる音は、先ず上框や下框あるいは戸先側の縦框の開口位置で減衰され、次に第１召合せ部に到達するまでに減衰され、さらに第１召合せ部の中空部から外気導入孔を通過する際に減衰されることとなる。このような長距離の外気導入経路を形成して音の減衰を生じさせることで、召合せ空間に到達する音のレベルを十分に低下させることができ、さらに室内側への音の伝達を低減させて遮音性能を向上させることができる。
【００１１】
また、本発明の建具では、前記外気導入孔は、前記第１召合せ部の第１対向面部において、前記上框の下端縁よりも低く、かつ前記下框の上端縁よりも高い位置に設けられていることが好ましい。
このような構成によれば、第１召合せ部における外気導入孔を下框の上端縁よりも高い位置に設けたことで、下枠などから召合せ空間に入った雨水や、障子の各部から下枠へ落下させて排水する雨水などが再度外気導入孔から第１召合せ部の内部に浸入することが防止できる。また、第１または第２の召合せ部を構成する一方の縦框と、上框や下框との接合部に外気導入孔が位置しないことで、接合部に設けられる種々の部品（摺動部品や戸車、接合用のビス、風止め板など）によって外気導入が阻害されるのを防止することができる。
【００１２】
さらに、本発明の建具では、前記外気導入孔には、カバー部材が取り付けられ、このカバー部材には、前記召合せ空間に向かって開口した第１開口と、前記召合せ部の内部側において見付け方向に向かって開口した第２開口と、を有した通気経路が形成されていることが好ましい。
このような構成によれば、外気導入孔に設けるカバー部材に略Ｌ字形に屈曲した通気経路を形成したことで、この通気経路を通過する際に音を減衰させることができ、より一層遮音性能を向上させることができる。この際、カバー部材の第２開口が見付け方向に開口することで、障子の一方の縦框に外気導入孔を設ける場合には、面材を保持する側と反対側に向かって第２開口を設けることにより、面材を保持するガスケットやビードとカバー部材との干渉を避けて、外気の導入をスムーズにすることができる。また、外気導入孔にカバー部材を設けたことで、外気導入孔を介して召合せ部の内部が見えないようにでき、建具の意匠性を向上させることができる。
【００１３】
この際、本発明の建具では、前記カバー部材は、前記第１開口よりも見込み方向室外側に位置して前記通気経路を形成する底面部を有して形成されていることが好ましい。
このような構成によれば、カバー部材の底面部が第１開口の見込み方向室外側に位置することで、底面部に遮られて召合せ部の内部が見えないようにでき、建具の意匠性をさらに向上させることができる。
【００１４】
また、本発明の建具では、前記窓枠は、上枠、下枠および左右の縦枠を四周枠組みして構成され、前記障子の上框および前記上枠のいずれか一方には、他方に摺接可能な一対の上部横気密材が設けられ、前記障子の下框および前記下枠のいずれか一方には、他方に摺接可能な一対の下部横気密材が設けられ、前記障子の戸先側の縦框および前記縦枠のいずれか一方には、当該障子を閉じた際に他方に当接可能な一対の戸先側縦気密材が設けられ、前記上部横気密材、下部横気密材および戸先側縦気密材と、前記召合せ部の縦気密材とが連続して気密ラインが形成されていることが好ましい。
このような構成によれば、各々一対の気密材から気密ラインを形成することで、気密性能および水密性能を向上させることができ、強風を伴った雨が吹き付けるような環境であっても雨水の浸入を確実に防止することができる。そして、このような二重の気密ラインを形成し、召合せ部において外気と等圧な召合せ空間を形成した場合でも、前述のように召合せ部からの音の伝達を防止して遮音性能も高めることができる。
【発明を実施するための最良の形態】
【００１５】
以下、本発明の実施形態を図面に基づいて説明する。
図１は、本発明の実施形態に係る建具である引違い窓１を示す縦断面図である。図２は、引違い窓１を示す横断面図である。
図１および図２において、引違い窓１は、建物の外壁開口部に固定される窓枠２と、窓枠２の内部に開閉自在に支持された室内外一対の障子である室内側障子１０および室外側障子２０とを有して構成されている。窓枠２は、それぞれアルミ形材製の上枠３、下枠４、および左右の縦枠５，６を四周枠組みして構成されている。室内側障子１０および室外側障子２０は、それぞれアルミ形材製の上框１１，２１、下框１２，２２、左右の縦框である戸先框１３，２３および召合せ框１４，２４（内召合せ框１４、外召合せ框２４）と、これらを四周框組みした内部に嵌め込んだガラスパネル１５，２５とを有して構成されている。そして、室内側障子１０および室外側障子２０は、戸先框１３が右側の縦枠６に当接し、戸先框２３が左側の縦枠５に当接するとともに、内外の召合せ框１４，２４が見込み方向（室内外方向）に重なって閉じるようになっている。すなわち、内外の召合せ框１４，２４の一方および他方によって本発明の第１および第２の召合せ部が構成されている。
【００１６】
窓枠２の上枠３は、図１に示すように、室内側障子１０の上框１１よりも室内側にて見込み方向に延びる底面部３１と、この底面部３１の室外側端部から上方に折れ曲がって上下に延びる第１見付け面部３２と、この第１見付け面部３２の上端部から室外側に延びる第１上面部３３とを有して形成されている。さらに、上枠３は、室内側障子１０と室外側障子２０との間にて上下に延びる第２見付け面部３４と、この第２見付け面部３４の上端部から室外側に延びる第２上面部３５と、この第２上面部３５の途中位置から下方に延びて室外側障子２０の上框２１を案内する室外上レール３６と、第２上面部３５の室外側端部に連続して上下に延びる室外側見付け面部３７とを有して形成されている。そして、第１見付け面部３２、第１上面部３３および第２見付け面部３４でコ字形に形成された部分には、上枠３の長手方向に沿った樹脂製のカバー部材３Ａが取り付けられ、上枠３の長手方向中間位置には、内召合せ框１４の上端部に当接可能な上枠風止め板３Ｂと、第２見付け面部３４下側にて内外の召合せ框１４，２４に当接可能な上枠風止め板３Ｅとが取り付けられている。さらに、第１見付け面部３２の下端部室外側には、室内側障子１０の上框１１室内側側面に摺接可能な第１上部横気密材３Ｃが取り付けられ、第２見付け面部３４の下端部室外側には、室外側障子２０の上框２１室内側側面に摺接可能な第２上部横気密材３Ｄが取り付けられている。
【００１７】
また、下枠４は、室内側障子１０の下框１２よりも室内側にて見込み方向に延びる上面部４１と、この上面部４１の室外側端部から下方に折れ曲がって上下に延びる第１見付け面部４２と、この第１見付け面部４２の下端部から室外側に延びる第１底面部４３と、この第１底面部４３に連続して立ち上がり室内側障子１０の戸車１２Ａを案内する室内下レール４４とを有して形成されている。さらに、下枠４は、室内下レール４４の下端部から室外側に延びる第２底面部４５と、この第２底面部４５の途中位置から立ち上がり室外側障子２０の戸車２２Ａを案内する室外下レール４６と、第２底面部４５の室外側端部に連続した溝状の排水溝部４７とを有して形成されている。また、下枠４の室内下レール４４には、室外側に延びる気密材保持部４８が形成されている。そして、下枠４の長手方向中間位置において、第１見付け面部４２、第１底面部４３および室内下レール４４でコ字形に形成された部分には、内召合せ框１４の下端部に当接可能な第１下枠風止め板４Ａが取り付けられ、室内下レール４４の室外側かつ気密材保持部４８の上側には、内召合せ框１４の下端部および外召合せ框２４の室内側側面に当接可能な第２下枠風止め板４Ｂが取り付けられている。さらに、第１見付け面部４２の上端部室外側には、室内側障子１０の下框１２室内側側面に摺接可能な第１下部横気密材４Ｃが取り付けられ、気密材保持部４８の室外側先端部には、室外側障子２０の下框２２室内側側面に摺接可能な第２下部横気密材４Ｄが取り付けられている。
【００１８】
一方、窓枠２の縦枠５は、図２に示すように、見込み方向（図２の上下方向）に延びる見込み面部５１と、この見込み面部５１の途中位置でかつ室外側障子２０の戸先框２３よりも室内側にて見付け方向内側（図２の右側）に延びる気密材保持部５２と、室外側障子２０が閉じた際に戸先框２３を室内側に引き寄せる引き寄せ片５３とを有して形成されている。そして、気密材保持部５２の室外側には、室外側障子２０の戸先框２３室内側側面に当接可能な第１戸先側縦気密材５Ａが取り付けられている。また、縦枠６は、見込み方向に延びる見込み面部６１と、この見込み面部６１の途中位置でかつ室内側障子１０の戸先框１３よりも室内側にて見付け方向内側（図２の左側）に延びる気密材保持部６２と、室内側障子１０が閉じた際に戸先框１３を室内側に引き寄せる引き寄せ片６３とを有して形成されている。そして、気密材保持部６２の室外側には、室内側障子１０の戸先框１３室内側側面に当接可能な第２戸先側縦気密材６Ａが取り付けられている。
【００１９】
次に、室内側障子１０の構成について図１〜図３を参照して説明する。ここで、図３は、窓枠２および室内側障子１０を室外側から見た斜視図であって、引違い窓１から室外側障子２０を取り外した状態を示す図である。
図１に示すように、室内側障子１０の上框１１における上端部室外側には、上枠３の第２見付け面部３４室内側側面に摺接可能な第３上部横気密材１１Ｂが取り付けられている。また、下框１２の下端部室内側には、下枠４の室内下レール４４室外側側面に摺接可能な第３下部横気密材１２Ｃが取り付けられている。また、図２に示すように、戸先框１３の先端室内側には、縦枠６の引き寄せ片６３室外側側面に当接可能な第３戸先側縦気密材１３Ｂが取り付けられている。さらに、図２および図３に示すように、内召合せ框１４には、室外側に突出するとともに見付け方向内方（図２の右側）に鉤状に折れ曲がった係合部である煙返し１４９が形成されている。また、内召合せ框１４の室外側側面部１４２には、室外側に突出して後述する外召合せ框２４の室内側側面部２４１に当接可能な一対の縦気密材１４Ｂ，１４Ｃが取り付けられている。
【００２０】
このような室内側障子１０において、上枠３の第１上部横気密材３Ｃが上框１１の室内側側面に摺接するとともに、上框１１の第３上部横気密材１１Ｂが上枠３の第２見付け面部３４に摺接することで、室内上部気密ラインが二重に形成されている。そして、下枠４の第１下部横気密材４Ｃが下框１２の室内側側面に摺接するとともに、下框１２の第３下部横気密材１２Ｃが室内下レール４４に摺接することで、室内下部気密ラインが二重に形成されている。さらに、縦枠６の第２戸先側縦気密材６Ａが戸先框１３の室内側側面に当接するとともに、戸先框１３の第３戸先側縦気密材１３Ｂが縦枠６の引き寄せ片６３に当接することで、室内戸先部の縦気密ラインが二重に形成されている。
【００２１】
次に、室外側障子２０の構成について図１、図２および図４〜図６も参照して説明する。ここで、図４は、窓枠２および室外側障子２０を室内側から見た斜視図であって、引違い窓１から室内側障子１０を取り外した状態を示す図である。図５および図６は、それぞれ窓枠２および室外側障子２０を示す縦断面図および横断面図である。
【００２２】
室外側障子２０の上框２１は、図５に示すように、その室内側にて上下に延びる室内側側面部２１１と、この室内側側面部２１１に対向して室外側にて上下に延びる室外側側面部２１２と、これら室内側および室外側の側面部２１１，２１２を連結して見込み方向に延びる第１および第２の水平面部２１３，２１４と、室内側側面部２１１に連続して第２水平面部２１４よりも下方に延びる室内側保持片部２１５と、室外側側面部２１２に連続して第２水平面部２１４よりも室外側に折れ曲がるとともに下方に延びる室外側保持片部２１６とを有して形成されている。そして、上框２１には、室内側および室外側の側面部２１１，２１２と、第１および第２の水平面部２１３，２１４とで囲まれた上框中空部２１７と、第２水平面部２１４と室内側および室外側の保持片部２１５，２１６とで略コ字形に形成されて下方に開口した面材保持部２１８とが設けられている。この面材保持部２１８には、シール材２１Ａやガスケット等を介してガラスパネル２５の上端縁が保持され、ガラスパネル２５を保持することで、面材保持部２１８が中空状に形成されるようになっている。また、上框２１の室外側側面部２１２の上端部室内側には、上枠３の室外上レール３６室外側側面に摺接可能な第４上部横気密材２１Ｂが取り付けられている。
【００２３】
また、室外側障子２０の下框２２は、その室内側にて上下に延びる室内側側面部２２１と、この室内側側面部２２１に対向して室外側にて上下に延びる室外側側面部２２２と、これら室内側および室外側の側面部２２１，２２２を連結して見込み方向に延びる第１および第２の水平面部２２３，２２４と、室内側側面部２２１に連続して第２水平面部２２４よりも上方に延びる室内側保持片部２２５と、室外側側面部２２２に連続して第２水平面部２２４よりも上方に延びる室外側保持片部２２６とを有して形成されている。そして、下框２２には、室内側および室外側の側面部２２１，２２２と、第１および第２の水平面部２２３，２２４とで囲まれた下框中空部２２７と、第２水平面部２２４と室内側および室外側の保持片部２１５，２１６とで略コ字形に形成されて上方に開口した面材保持部２２８とが設けられている。この面材保持部２２８には、シール材２２Ｂやガスケット等を介してガラスパネル２５の下端縁が保持され、ガラスパネル２５を保持することで、面材保持部２２８が中空状に形成されるようになっている。また、下框２２の室外側側面部２２２の下端部室内側には、下枠４の室外下レール４６室外側側面に摺接可能な第４下部横気密材２２Ｃが取り付けられている。
【００２４】
一方、室外側障子２０の戸先框２３は、図６に示すように、その室内側にて見付け方向左右に延びる室内側側面部２３１と、この室内側側面部２３１に対向して室外側にて左右に延びる室外側側面部２３２と、これら室内側および室外側の側面部２３１，２３２を連結して見込み方向に延びる第１および第２の見込み面部２３３，２３４と、室内側側面部２３１に連続して第２見込み面部２３４よりも見付け方向内方に延びる室内側保持片部２３５と、第２見込み面部２３４に連続して室外側に延びるとともに見付け方向内方に折れ曲がって延びる室外側保持片部２３６とを有して形成されている。そして、戸先框２３には、室内側および室外側の側面部２３１，２３２と、第１および第２の見込み面部２３３，２３４とで囲まれた戸先框中空部２３７と、第２見込み面部２３４と室内側および室外側の保持片部２３５，２３６とで略コ字形に形成されて見付け方向内方に開口した面材保持部２３８とが設けられている。この面材保持部２３８には、シール材２３Ａやガスケット等を介してガラスパネル２５の側端縁が保持され、ガラスパネル２５を保持することで、面材保持部２３８が中空状に形成されるようになっている。また、戸先框２３の室外側側面部２３２の先端室内側には、縦枠５の引き寄せ片５３室外側側面に当接可能な第４戸先側縦気密材２３Ｂが取り付けられている。
【００２５】
また、室外側障子２０の外召合せ框２４は、その室内側にて見付け方向左右に延びる室内側側面部２４１と、この室内側側面部２４１に対向して室外側にて左右に延びる室外側側面部２４２と、これら室内側および室外側の側面部２４１，２４２を連結して見込み方向に延びて外召合せ框２４の側端面を構成する第１見込み面部２４３と、室内側および室外側の側面部２４１，２４２を連結する第２見込み面部２４４と、室内側側面部２４１に連続して第２見込み面部２４４よりも見付け方向内方に延びる室内側保持片部２４５と、第２見込み面部２４４に連続して室外側に延びるとともに見付け方向内方に折れ曲がって延びる室外側保持片部２４６とを有して形成されている。そして、外召合せ框２４には、室内側および室外側の側面部２４１，２４２と、第１および第２の見込み面部２４３，２４４とで囲まれた召合せ框中空部２４７と、第２見込み面部２４４と室内側および室外側の保持片部２４５，２４６とで略コ字形に形成されて見付け方向内方に開口した面材保持部２４８とが設けられている。さらに、外召合せ框２４における室内側側面部２４１には、第１見込み面部２４３に連続して室内側に突出するとともに見付け方向内方（図６の左側）に鉤状に折れ曲がった係合部である煙返し２４９が形成されている。そして、外召合せ框２４の面材保持部２４８には、シール材２４Ａやガスケット等を介してガラスパネル２５の側端縁が保持され、ガラスパネル２５を保持することで、面材保持部２４８が中空状に形成されるようになっている。また、外召合せ框２４の室内側保持片部２４５には、後述する外気導入孔２４Ｂが設けられている。
【００２６】
このような室外側障子２０において、上框２１の面材保持部２１８と、下框２２の面材保持部２２８と、戸先框２３の面材保持部２３８と、外召合せ框２４の面材保持部２４８とは、互いに連通されている。すなわち、ガラスパネル２５の上下左右の端縁に沿って、面材保持部２１８，２２８，２３８，２４８同士が四周連続して形成されている。また、室外側障子２０と窓枠２との間には、上枠３の第２上部横気密材３Ｄが上框２１の室内側側面部２１１に摺接するとともに、上框２１の第４上部横気密材２１Ｂが上枠３の室外上レール３６に摺接することで、室外上部気密ラインが二重に形成されている。そして、下枠４の第２下部横気密材４Ｄが下框２２の室内側側面部２２１に摺接するとともに、下框２２の第４下部横気密材２２Ｃが室外下レール４６に摺接することで、室外下部気密ラインが二重に形成されている。さらに、縦枠５の第１戸先側縦気密材５Ａが戸先框２３の室内側側面部２３１に当接するとともに、戸先框２３の第４戸先側縦気密材２３Ｂが縦枠５の引き寄せ片５３に当接することで、室外戸先部の縦気密ラインが二重に形成されている。
【００２７】
以上の室内側障子１０および室外側障子２０を閉じた状態において、図２に示すように、内召合せ框１４と外召合せ框２４とが見込み方向に重なるとともに、内召合せ框１４の室外側側面部１４２と、外召合せ框２４の室内側側面部２４１および室内側保持片部２４５とが互いに対向して位置することとなる。この閉鎖状態において、内召合せ框１４の縦気密材１４Ｂが外召合せ框２４の室内側保持片部２４５に当接し、縦気密材１４Ｃが室内側側面部２４１に当接するとともに、煙返し１４９，２４９同士が係合して内外の召合せ框１４，２４が互いに引き寄せられるようになっている。このように内召合せ框１４の一対の縦気密材１４Ｂ，１４Ｃと外召合せ框２４とが当接することで、召合せ部の縦気密ラインが二重に形成されている。そして、召合せ部の縦気密ラインが二重に形成されることで、前記室内上部気密ラインと室外上部気密ラインとが連続されるとともに、前記室内下部気密ラインと室外下部気密ラインとが連続され、引違い窓１全体において、二重の気密ラインが連続形成されるようになっている。
【００２８】
また、室内側障子１０および室外側障子２０における内外の召合せ框１４，２４の間には、内召合せ框１４の室外側側面部１４２と、外召合せ框２４の室内側側面部２４１および室内側保持片部２４５と、一対の縦気密材１４Ｂ，１４Ｃとで区画される召合せ空間Ｓが形成されている（図２参照）。また、外召合せ框２４の室内側保持片部２４５に設けた外気導入孔２４Ｂは、後述する通気経路を介して室外空間に連通され、この外気導入孔２４Ｂを介して召合せ空間Ｓに外気が導入できるように構成されている。すなわち、本実施形態において、室外側障子２０の外召合せ框２４によって第１召合せ部が構成され、室内側障子１０の内召合せ框１４によって第２召合せ部が構成されている。そして、外召合せ框２４の室内側側面部２４１および室内側保持片部２４５によって第１対向面部が構成され、内召合せ框１４の室外側側面部１４２によって第２対向面部が構成されている。
【００２９】
次に、外気導入孔２４Ｂの構成について、図７〜図９も参照して詳しく説明する。ここで、図７は、下枠４および室外側障子２０の一部を拡大して示す斜視図である。図８は、室外側障子２０の外召合せ框２４における外気導入孔２４Ｂ位置を拡大して示す横断面図および側面図である。図９は、外気導入孔２４Ｂに取り付けられるカバー部材２６を示す斜視図である。
外気導入孔２４Ｂは、図６〜図８に示すように、外召合せ框２４における室内側保持片部２４５に孔開け加工によって形成され、面材保持部２４８の中空内部空間と召合せ空間Ｓ（図２参照）とを連通させるように構成されている。さらに、外気導入孔２４Ｂは、図７に示すように、室外側障子２０の下框２２の上端縁、つまりシール材２２Ｂの位置よりも上方に形成されるとともに、上框２１（不図示）の下端縁よりも下方に形成されている。この外気導入孔２４Ｂは、外召合せ框２４の長手方向（上下方向）全長に対して１つが設けられていてもよく、また外召合せ框２４の長手方向に沿った適宜な間隔で複数の外気導入孔２４Ｂが設けられていてもよい。そして、外気導入孔２４Ｂには、樹脂製のカバー部材２６が取り付けられている。
【００３０】
カバー部材２６は、図８および図９に示すように、外気導入孔２４Ｂ周縁の室内側保持片部２４５室内面に密接する略矩形枠状のカバー前面部２６１と、このカバー前面部２６１の三辺に連続して外召合せ框２４の面材保持部２４８内方に延びるカバー側面部２６２，２６３，２６４と、これらのカバー側面部２６２，２６３，２６４に連続してカバー前面部２６１と平行に設けられるカバー底面部２６５とを有して形成されている。すなわち、カバー部材２６は、召合せ空間Ｓに向かって開口した第１開口２６Ａを有した全体略箱状に形成されている。そして、カバー前面部２６１の他の一辺側には、カバー前面部２６１とカバー底面部２６５とを連結するカバー連結部２６６と、側方に開口した２つの第２開口２６Ｂとが設けられている。さらに、カバー部材２６のカバー底面部２６５には、上下に突出して外気導入孔２４Ｂの上下端縁に係合可能な一対の係合片部２６７が設けられ、これら一対の係合片部２６７を外気導入孔２４Ｂに係合させることで、カバー部材２６がクリップ式に室内側保持片部２４５に取り付けられるようになっている。
【００３１】
このようなカバー部材２６は、図８(Ａ)に示すように、一方のカバー側面部２６２が面材保持部２４８の開口側（つまり、ガラスパネル２５およびシール材２４Ａ側であり、室外側障子２０の閉鎖方向側）となり、第２開口２６Ｂが外召合せ框２４の第２見込み面部２４４側（つまり、室外側障子２０の開放方向側）に向かって開口するようにして取り付けられている。そして、カバー部材２６の内部には、室外空間に連通された面材保持部２４８の内部に入った外気を第２開口２６Ｂから取り入れるとともに、第１開口２６Ａを介して召合せ空間Ｓに外気を供給する通気経路２６Ｃが形成されている。また、カバー部材２６を外気導入孔２４Ｂに取り付けたことで、図８(Ｂ)に示すように、室内側から外召合せ框２４を見た場合に、第１開口２６Ａを介してカバー部材２６の内部（通気経路２６Ｃ）は見えるものの、カバー底面部２６５に遮られて外召合せ框２４の内部（面材保持部２４８）は見えないようになっているとともに、ゴミや埃などが外召合せ框２４の内部に入り込みにくく構成されている。
【００３２】
次に、以上のような召合せ空間Ｓに外気を導入する外気導入経路について、図１０〜図１４に基づいて詳しく説明する。ここで、図１０〜図１４は、それぞれ室外側障子２０を室外側から見た斜視図であって、室外側障子２０における外気導入経路の各形態を説明する図である。なお、本実施形態では、外気導入経路に関して第１〜第５の形態を分けて説明するが、これらの各形態は、それぞれ独立で適用されてもよく、また５つのうちから適宜に選択した複数の形態を組み合わせて適用されてもよく、さらには５つの形態の全てが適用されてもよい。すなわち、引違い窓１を設置する場所の気候条件や、設置位置、窓の大きさ、その他の要求性能などに応じて外気導入経路の形態を適宜設定し、外気導入量を調節することが可能である。
【００３３】
図１０に示す第１形態の外気導入経路は、外召合せ框２４の内部に形成されている。具体的には、外召合せ框２４の召合せ框中空部２４７と面材保持部２４８とを仕切る仕切り壁である第２見込み面部２４４に連通孔２４Ｃが形成され、この連通孔２４Ｃを介して第１中空部である召合せ框中空部２４７と、第２中空部である面材保持部２４８とが連通されている。そして、外召合せ框２４の長手方向端部である上端部や下端部において、召合せ框中空部２４７を室外空間に開口させておき、この開口から召合せ框中空部２４７に導入した外気を、連通孔２４Ｃを介して面材保持部２４８に導入し、面材保持部２４８から外気導入孔２４Ｂを介して召合せ空間Ｓに供給するように構成されている。従って、室外空間と召合せ空間Ｓとが連通されることで、召合せ空間Ｓを室外空間と等圧な等圧空間とすることができ、気圧差による雨水の浸入が防止できるようになっている。そして、室外空間の音は、先ず召合せ框中空部２４７の端部開口で減衰されてから連通孔２４Ｃ位置まで到達し、連通孔２４Ｃを通過する際にさらに減衰されてから面材保持部２４８に入り、外気導入孔２４Ｂ（カバー部材２６）で一層減衰されてから召合せ空間Ｓまで到達することになり、召合せ空間Ｓに到達する音圧レベルが低下させられるようになっている。
【００３４】
図１１に示す第２形態の外気導入経路は、上框２１および外召合せ框２４の内部に形成されている。具体的には、上框２１の第１および第２の水平面部２１３，２１４にそれぞれ連通孔２１Ｃ，２１Ｄが形成され、これらの連通孔２１Ｃ，２１Ｄを介して室外空間と上框中空部２１７および面材保持部２１８とが連通され、この上框２１の面材保持部２１８と連通された外召合せ框２４の面材保持部２４８が室外空間に連通されるようになっている。そして、上框２１の上方の開口（室内側側面部２１１と室外側側面部２１２との隙間）から上框中空部２１７および面材保持部２１８に導入した外気を、外召合せ框２４の面材保持部２４８に導入し、面材保持部２４８から外気導入孔２４Ｂを介して召合せ空間Ｓに供給するように構成されている。従って、召合せ空間Ｓを室外空間と等圧な等圧空間とすることができ、気圧差による雨水の浸入が防止できるようになっている。そして、室外空間の音は、先ず上框２１の上方の開口で減衰されるとともに連通孔２１Ｃ，２１Ｄを通過する際に減衰されてから面材保持部２１８に入り、外召合せ框２４の面材保持部２４８に到達するまでの距離によってさらに減衰され、面材保持部２４８から外気導入孔２４Ｂ（カバー部材２６）を通過する際に一層減衰されてから召合せ空間Ｓまで到達することになり、召合せ空間Ｓに到達する音圧レベルが低下させられるようになっている。
【００３５】
図１２に示す第３形態の外気導入経路は、下框２２および外召合せ框２４の内部に形成されている。具体的には、下框２２の第１および第２の水平面部２２３，２２４にそれぞれ連通孔２２Ｄ，２２Ｅが形成され、これらの連通孔２２Ｄ，２２Ｅを介して室外空間と下框中空部２２７および面材保持部２２８とが連通され、この下框２２の面材保持部２２８と連通された外召合せ框２４の面材保持部２４８が室外空間に連通されるようになっている。そして、下框２２の下方の開口（室内側側面部２２１と室外側側面部２２２との隙間）から下框中空部２２７および面材保持部２２８に導入した外気を、外召合せ框２４の面材保持部２４８に導入し、面材保持部２４８から外気導入孔２４Ｂを介して召合せ空間Ｓに供給するように構成されている。従って、召合せ空間Ｓを室外空間と等圧な等圧空間とすることができ、気圧差による雨水の浸入が防止できるようになっている。そして、室外空間の音は、先ず下框２２の下方の開口で減衰されるとともに、連通孔２２Ｄ，２２Ｅを通過する際に減衰されてから面材保持部２２８に入り、外召合せ框２４の面材保持部２４８に到達するまでの距離によってさらに減衰され、面材保持部２４８から外気導入孔２４Ｂ（カバー部材２６）を通過する際に一層減衰されてから召合せ空間Ｓまで到達することになり、召合せ空間Ｓに到達する音圧レベルが低下させられるようになっている。
【００３６】
図１３に示す第４形態の外気導入経路は、戸先框２３、上框２１、下框２２および外召合せ框２４の内部に形成されている。具体的には、戸先框２３の第２見込み面部２３４に連通孔２３Ｃが形成され、この連通孔２３Ｃを介して戸先框中空部２３７と面材保持部２３８（図６参照）とが連通されるようになっている。そして、この戸先框２３の長手方向端部である上端部や下端部の開口から戸先框中空部２３７に導入した外気を、連通孔２３Ｃを介して面材保持部２３８に導入するとともに、この面材保持部２３８に連通された上框２１や下框２２の面材保持部２１８，２２８（図５参照）を介して外召合せ框２４の面材保持部２４８に導入し、面材保持部２４８から外気導入孔２４Ｂを介して召合せ空間Ｓに供給するように構成されている。従って、召合せ空間Ｓを室外空間と等圧な等圧空間とすることができ、気圧差による雨水の浸入が防止できるようになっている。そして、室外空間の音は、先ず戸先框中空部２３７の端部開口で減衰されるとともに、連通孔２３Ｃを通過する際に減衰されてから面材保持部２３８に入り、外召合せ框２４の面材保持部２４８に到達するまでの距離によってさらに減衰され、面材保持部２４８から外気導入孔２４Ｂ（カバー部材２６）を通過する際に一層減衰されてから召合せ空間Ｓまで到達することになり、召合せ空間Ｓに到達する音圧レベルが低下させられるようになっている。
【００３７】
図１４に示す第５形態の外気導入経路は、戸先框２３、上框２１、下框２２および外召合せ框２４の内部に形成されている。具体的には、戸先框２３の第２見込み面部２３４に連通孔２３Ｃが形成され、第１見込み面部２３３に連通孔２３Ｄが形成され、この連通孔２３Ｄを介して室外空間と戸先框中空部２３７とが連通されるようになっている。そして、戸先框２３の側方の開口（室内側側面部２３１と室外側側面部２３２との隙間）から連通孔２３Ｄおよび連通孔２３Ｃを介して面材保持部２３８に外気を導入するように構成されている。面材保持部２３８に導入した外気を召合せ空間Ｓに供給する経路としては、前記第４形態の外気導入経路と同様であり、召合せ空間Ｓを室外空間と等圧な等圧空間とすることができ、気圧差による雨水の浸入が防止できるようになっている。そして、室外空間の音は、先ず戸先框２３の側方の開口で減衰されるとともに、連通孔２３Ｄおよび連通孔２３Ｃを通過する際に減衰されてから面材保持部２３８に入り、外召合せ框２４の面材保持部２４８に到達するまでの距離によってさらに減衰され、面材保持部２４８から外気導入孔２４Ｂ（カバー部材２６）を通過する際に一層減衰されてから召合せ空間Ｓまで到達することになり、召合せ空間Ｓに到達する音圧レベルが低下させられるようになっている。
【００３８】
このような本実施形態によれば、以下のような効果がある。
（１）すなわち、窓枠２と室内側障子１０および室外側障子２０とにおいて、室内上部気密ラインおよび室外上部気密ラインと、室内下部気密ラインおよび室外下部気密ラインと、室内戸先部の縦気密ラインおよび室外戸先部の縦気密ラインとが、それぞれ二重の気密ラインとして形成されている。そして、室内側障子１０と室外側障子２０との召合せ部において、縦気密ラインが二重に形成されるとともに、この召合せ部の縦気密ラインによって、室内側および室外側の上部気密ラインが連続され、かつ室内側および室外側の下部気密ラインが連続されている。従って、引違い窓１の気密性能および水密性能を向上させることができ、強風を伴った雨が吹き付けるような環境であっても雨水の浸入を確実に防止することができる。
【００３９】
（２）そして、室内側障子１０と室外側障子２０との召合せ部において、内召合せ框１４と外召合せ框２４との間に形成される召合せ空間Ｓに対し、外召合せ框２４に設けた外気導入孔２４Ｂから外気を導入することで、この召合せ空間Ｓを室外空間と等圧な等圧空間とすることができ、圧力差による雨水の浸入を確実に防止することができる。さらに、外気導入孔２４Ｂは、少なくとも外召合せ框２４の内部（面材保持部２４８）を介して室外空間に連通されているので、室外からの音が外召合せ框２４の内部を通る際に減衰され、外気導入孔２４Ｂから召合せ空間Ｓに到達する音圧レベルを低下させることができる。従って、召合せ空間Ｓからさらに縦気密材１４Ｂを音が通り抜けるのが防止できるので、引違い窓１の遮音性能を向上させることができる。
【００４０】
（３）また、前記第１形態の外気導入経路によって召合せ空間Ｓに外気を導入した場合には、召合せ框中空部２４７の端部開口、連通孔２４Ｃ、および外気導入孔２４Ｂによる複数の音の減衰を生じさせることができ、召合せ空間Ｓに到達する音のレベルを十分に低下させることができ、さらに遮音性能を向上させることができる。また、前記第２および第３の形態の外気導入経路によって召合せ空間Ｓに外気を導入した場合にも、上框２１や下框２２の開口、連通孔２１Ｃ，２１Ｄや連通孔２２Ｄ，２２Ｅ、外召合せ框２４の面材保持部２４８に到達するまでの距離、および外気導入孔２４Ｂによって、複数回に渡って音を減衰させることができる。さらに、前記第４および第５の形態の外気導入経路によって召合せ空間Ｓに外気を導入した場合にも、戸先框中空部２３７の端部開口や側方の開口、連通孔２３Ｃ，２３Ｄ、外召合せ框２４の面材保持部２４８に到達するまでの距離、および外気導入孔２４Ｂによって、複数回に渡って音を減衰させることができる。
【００４１】
（４）また、外気導入孔２４Ｂにカバー部材２６が取り付けられ、このカバー部材２６に略Ｌ字形に屈曲した通気経路２６Ｃが形成されているので、この通気経路２６Ｃを通過する際に音を減衰させることができ、より一層遮音性能を向上させることができる。さらに、カバー部材２６の第２開口２６Ｂが室外側障子２０の開放方向に向かって開口して設けられているので、ガラスパネル２５を保持するシール材２４Ａと第２開口２６Ｂとの干渉を避けて、外気の導入をスムーズにすることができる。また、外気導入孔２４Ｂにカバー部材２６を設けたことで、外気導入孔２４Ｂを介して外召合せ框２４の内部が見えないようにでき、引違い窓１の意匠性を向上させることができる。
【００４２】
なお、本発明は、前記各実施形態に限定されるものではなく、本発明の目的を達成できる他の構成等を含み、以下に示すような変形等も本発明に含まれる。
例えば、前記実施形態においては、室内外一対の障子１０，２０を有した引違い窓１について説明したが、本発明の建具は、片引き窓であってもよい。建具が片引き窓である場合には、固定障子や縦骨の室内側または室外側に沿って可動障子がスライド開閉可能に設けられ、固定障子および可動障子の召合せ框同士が重なるか、縦骨と可動障子の召合せ框とが重なって閉じるように構成され、これらの召合せ框や縦骨によって第１および第２の召合せ部が構成されていればよい。
また、建具としては、三枚建てや四枚建ての引き違い窓や引き分け窓であってもよく、これら複数の可動障子のうちの任意の一対の障子における召合せ框同士が重なって閉じるように構成され、これらの召合せ框によって第１および第２の召合せ部が構成されていてもよい。
【００４３】
また、前記実施形態では、室内側障子１０および室外側障子２０における内外の召合せ框１４，２４のうち、室外側障子２０の外召合せ框２４に外気導入孔２４Ｂを設け、室外側障子２０の外召合せ框２４や上框２１、下框２２、戸先框２３の内部に外気導入経路を形成したが、このような構成に限られない。すなわち、外気導入孔としては、内召合せ框１４に設けられていてもよく、また内召合せ框１４と外召合せ框２４の両方に設けられていてもよい。外気導入孔を内召合せ框１４に設けた場合には、この外気導入孔を、前記第１形態の外気導入経路と略同様に、内召合せ框１４の召合せ框中空部や面材保持部を介して室外空間に連通させる構成であってもよく、また、内召合せ框１４に設けた外気導入孔を上框１１や下框１２の面材保持部に連通させたり、さらに、戸先框１３の面材保持部に連通させたりすることで、外気導入孔を室外空間に連通させる構成であってもよい。
【００４４】
その他、本発明を実施するための最良の構成、方法などは、以上の記載で開示されているが、本発明は、これに限定されるものではない。すなわち、本発明は、主に特定の実施形態に関して特に図示され、かつ説明されているが、本発明の技術的思想および目的の範囲から逸脱することなく、以上述べた実施形態に対し、形状、材質、数量、その他の詳細な構成において、当業者が様々な変形を加えることができるものである。
従って、上記に開示した形状、材質などを限定した記載は、本発明の理解を容易にするために例示的に記載したものであり、本発明を限定するものではないから、それらの形状、材質などの限定の一部もしくは全部の限定を外した部材の名称での記載は、本発明に含まれるものである。
【図面の簡単な説明】
【００４５】
【図１】本発明の実施形態に係る建具を示す縦断面図である。
【図２】前記建具を示す横断面図である。
【図３】前記建具における窓枠および室内側障子を示す斜視図である。
【図４】前記建具における窓枠および室外側障子を示す斜視図である。
【図５】前記窓枠および室外側障子を示す縦断面図である。
【図６】前記窓枠および室外側障子を示す横断面図である。
【図７】前記建具における下枠および室外側障子の一部を示す斜視図である。
【図８】前記室外側障子の外召合せ框を示す横断面図および側面図である。
【図９】前記外召合せ框における外気導入孔のカバー部材を示す斜視図である。
【図１０】前記建具における外気導入経路の第１形態を説明する斜視図である。
【図１１】前記建具における外気導入経路の第２形態を説明する斜視図である。
【図１２】前記建具における外気導入経路の第３形態を説明する斜視図である。
【図１３】前記建具における外気導入経路の第４形態を説明する斜視図である。
【図１４】前記建具における外気導入経路の第５形態を説明する斜視図である。
【符号の説明】
【００４６】
１…引違い窓（建具）、２…窓枠、３…上枠、３Ｃ…第１上部横気密材、３Ｄ…第２上部横気密材、４…下枠、４Ｃ…第１下部横気密材、４Ｄ…第２下部横気密材、５，６…縦枠、５Ａ…第１戸先側縦気密材、６Ａ…第２戸先側縦気密材、１０…室内側障子、１１…上框、１１Ｂ…第３上部横気密材、１２…下框、１２Ｃ…第３下部横気密材、１３…戸先框（縦框）、１３Ｂ…第３戸先側縦気密材、１４…内召合せ框（縦框であり第２召合せ部）、１４Ｂ，１４Ｃ…縦気密材、１５…ガラスパネル（面材）、２０…室外側障子、２１…上框、２１Ｂ…第４上部横気密材、２２…下框、２２Ｃ…第４下部横気密材、２３…戸先框（縦框）、２３Ｂ…第４戸先側縦気密材、２４…外召合せ框（縦框であり第１召合せ部）、２４Ｂ…外気導入孔、２４Ｃ…連通孔、２５…ガラスパネル（面材）、２６…カバー部材、２６Ａ…第１開口、２６Ｂ…第２開口、２６Ｃ…通気経路、１４２…室外側側面部（第２対向面部）、２１８，２２８，２３８…面材保持部、２４１…室内側側面部（第１対向面部）、２４４…第２見込み面部（仕切り壁）、２４５…室内側保持片部（第１対向面部）、２４７…召合せ框中空部（第１中空部）、２４８…面材保持部（第２中空部）、２６５…カバー底面部、Ｓ…召合せ空間。
【図１】
0005086854.tif 000002
【図２】
0005086854.tif 000003
【図３】
0005086854.tif 000004
【図４】
0005086854.tif 000005
【図５】
0005086854.tif 000006
【図６】
0005086854.tif 000007
【図７】
0005086854.tif 000008
【図８】
0005086854.tif 000009
【図９】
0005086854.tif 000010
【図１０】
0005086854.tif 000011
【図１１】
0005086854.tif 000012
【図１２】
0005086854.tif 000013
【図１３】
0005086854.tif 000014
【図１４】
0005086854.tif 000015